(57)【要約】【課題】商品載置ユニットがショーケース本体に対してスライド自在なショーケースにおいて、商品載置ユニット上の商品に対して、側方からのアプローチが可能なショーケースを提供する。【解決手段】ショーケースは、商品が配置される内部空間を規定するケース本体と、ケース本体内に配置される商品載置ユニットと、商品載置ユニットをスライド自在に支持する載置ユニット支持部材と、商品載置ユニットが通過する開口を開閉する開閉部材とを具備する。商品載置ユニットは、開閉部材を開放する方向に押圧する押圧部材と、押圧部材を支持する基部とを備える。押圧部材と基部との間には、側方からのアプローチを許容する空間が存在する。【選択図】図２
2018130368.tif 000002
【特許請求の範囲】
【請求項１】
商品が配置される内部空間を規定するケース本体と、
前記ケース本体内に配置される商品載置ユニットと、
前記商品載置ユニットをスライド自在に支持する載置ユニット支持部材と、
前記ケース本体に取り付けられ、前記商品載置ユニットが通過する開口を開閉する開閉部材と
を具備し、
前記商品載置ユニットは、
前記商品載置ユニットが引き出される時、前記開閉部材を開放する方向に押圧する押圧部材と、
前記押圧部材を支持する基部と
を備え、
前記押圧部材と前記基部との間には、側方からのアプローチを許容する空間が存在する
ショーケース。
【請求項２】
前記押圧部材は、前記開閉部材の中央よりも上側の領域を押圧するように構成されている
請求項１に記載のショーケース。
【請求項３】
前記押圧部材は、
前記基部から上方に向けて延在する上方延在部と、
前記上方延在部から後方に向かって突出する突出部と
を備える
請求項１または２に記載のショーケース。
【請求項４】
前記突出部の後端と前記上方延在部との間の距離は、５ｃｍ以上である
請求項３に記載のショーケース。
【請求項５】
前記開閉部材は、前記商品載置ユニットが通過する前記開口を塞ぐ板材を備え、
前記商品載置ユニットが引き出される時、前記押圧部材は、前記板材の表面に接触しながら前記板材に対して相対移動する
請求項１乃至４のいずれか一項に記載のショーケース。
【請求項６】
前記商品載置ユニットは、ユニット上面が傾斜した状態で、前記ケース本体内に配置され、
前記商品載置ユニットは、前記載置ユニット支持部材に対して水平方向にスライド自在である
請求項１乃至５のいずれか一項に記載のショーケース。
【請求項７】
前記ケース本体は、前記内部空間に面する側壁を備え、
前記載置ユニット支持部材は、前記側壁の外側に配置されている
請求項１乃至６のいずれか一項に記載のショーケース。
【請求項８】
引き出し可能な前記商品載置ユニットが、上下方向または左右方向に複数配置されている請求項１乃至７のいずれか一項に記載のショーケース。
【発明の詳細な説明】
【技術分野】
【０００１】
本発明は、ショーケースに関する。
【背景技術】
【０００２】
食品等の商品を陳列するショーケースが知られている。ショーケースは、例えば、コンビニエンスストア等の店舗に設置される。ショーケースの前面の少なくとも一部は、透明な部材によって構成されており、客は、ショーケースの内部を視認することが可能である。ショーケースには、客が自ら商品を取り出すように構成されたセルフサービス型のショーケースと、店員が商品を取り出すように構成された注文型のショーケースとがある。
【０００３】
関連する技術として、特許文献１には、ショーケースが開示されている。特許文献１に記載のショーケースは、トレイと、揺動型開閉扉と、トレイの引出し動作に伴って揺動型開閉扉を内側から開閉駆動する扉開閉用カム機構とを備える。
【先行技術文献】
【特許文献】
【０００４】
【特許文献１】特開２０１５−２２８８８４号公報
【発明の概要】
【発明が解決しようとする課題】
【０００５】
本発明の目的は、商品載置ユニットがショーケース本体に対してスライド自在なショーケースにおいて、商品載置ユニット上の商品に対して、側方からのアプローチが可能なショーケースを提供することにある。
【課題を解決するための手段】
【０００６】
以下に、発明を実施するための形態で使用される番号・符号を用いて、課題を解決するための手段を説明する。これらの番号・符号は、特許請求の範囲の記載と発明を実施するための形態との対応関係の一例を示すために、参考として、括弧付きで付加されたものである。よって、括弧付きの記載により、特許請求の範囲は、限定的に解釈されるべきではない。
【０００７】
いくつかの実施形態におけるショーケースは、商品が配置される内部空間（ＳＰ）を規定するケース本体（２）と、前記ケース本体内に配置される商品載置ユニット（４）と、前記商品載置ユニット（４）をスライド自在に支持する載置ユニット支持部材（６）と、  前記ケース本体（２）に取り付けられ、前記商品載置ユニット（４）が通過する開口（ＯＰ）を開閉する開閉部材（８）とを具備する。前記商品載置ユニット（４）は、前記商品載置ユニット（４）が引き出される時、前記開閉部材（８）を開放する方向に押圧する押圧部材（４２２）と、前記押圧部材（４２２）を支持する基部（４２３）とを備える。前記押圧部材（４２２）と前記基部（４２３）との間には、側方からのアプローチを許容する空間（Ｓａ）が存在する。
【０００８】
上記ショーケースにおいて、前記押圧部材（４２２）は、前記開閉部材（８）の中央よりも上側の領域を押圧するように構成されていてもよい。
【０００９】
上記ショーケースにおいて、前記押圧部材（４２２）は、前記基部（４２３）から上方に向けて延在する上方延在部（４２２ａ）と、前記上方延在部（４２２ａ）から後方に向かって突出する突出部（４２２ｂ）とを備えていてもよい。
【００１０】
上記ショーケースにおいて、前記突出部（４２２ｂ）の後端（Ｒｅ）と前記上方延在部（４２２ａ）との間の距離は、５ｃｍ以上であってもよい。
【００１１】
上記ショーケースにおいて、前記開閉部材（８）は、前記商品載置ユニット（４）が通過する前記開口（ＯＰ）を塞ぐ板材（８０）を備えていてもよい。前記商品載置ユニット（４）が引き出される時、前記押圧部材（８）は、前記板材（８０）の表面に接触しながら前記板材（８０）に対して相対移動してもよい。
【００１２】
上記ショーケースにおいて、前記商品載置ユニット（４）は、ユニット上面が傾斜した状態で、前記ケース本体（２）内に配置されてもよい。また、前記商品載置ユニット（４）は、前記載置ユニット支持部材（６）に対して水平方向にスライド自在であってもよい。
【００１３】
上記ショーケースにおいて、前記ケース本体（２）は、前記内部空間（ＳＰ）に面する側壁（２１）を備えていてもよい。また、前記載置ユニット支持部材（６）は、前記側壁（２１）の外側に配置されてもよい。
【００１４】
上記ショーケースにおいて、引き出し可能な前記商品載置ユニット（４）が、上下方向または左右方向に複数配置されていてもよい。
【発明の効果】
【００１５】
本発明により、商品載置ユニット上の商品に対して、側方からのアプローチが可能なショーケースを提供することができる。
【図面の簡単な説明】
【００１６】
【図１】図１は、第１の実施形態におけるショーケースを模式的に示す縦断面図である。
【図２】図２は、第１の実施形態におけるショーケースを模式的に示す概略斜視図である。なお、図２において、側壁を覆うカバー部材の記載は省略されている。
【図３】図３は、第１の実施形態におけるショーケースを模式的に示す概略斜視図である。なお、図３において、側壁を覆うカバー部材の記載は省略されている。
【図４】図４は、第１の実施形態におけるショーケースを模式的に示す概略斜視図である。
【図５】図５は、商品載置ユニットの一例を模式的に示す概略側面図である。
【図６】図６は、図２における領域Ａの拡大図である。
【図７】図７は、開閉部材の一例を示す模式的に示す概略３面図である。
【図８】図８は、図８は、商品載置ユニットの一例を模式的に示す分解斜視図である。
【図９】図９は、第１の実施形態におけるショーケースを模式的に示す縦断面図である。
【図１０】図１０は、第１の実施形態におけるショーケースを模式的に示す概略正面図である。なお、図１０において、ケース本体内の部材の記載は省略されている。
【図１１】図１１は、商品載置ユニットに含まれるスライド部材の一例を模式的に示す概略３面図である。
【図１２】図１２は、載置ユニット支持部材とスライド部材との間のスライド自在な係合の一例を示す概略断面図である。
【図１３】図１３は、商品載置ユニットに含まれる商品載置部材の一例を模式的に示す概略３面図である。
【図１４】図１４は、第２の実施形態におけるショーケースを模式的に示す概略斜視図である。なお、図１４において、側壁を覆うカバー部材の記載は省略されている。
【図１５】図１５は、商品載置ユニットの一例を模式的に示す概略側面図である。
【図１６】図１６は、商品載置ユニットの一例を模式的に示す概略側面図である。
【発明を実施するための形態】
【００１７】
以下、ショーケースに関して、添付図面を参照して説明する。なお、以下の説明において、同じ機能を有する部材については、同一の図番が付され、同一の図番が付されている部材について、繰り返しの説明は省略される。
【００１８】
（方向の定義）
本明細書において、ショーケース１の内部から開閉部材８に向かう方向を「後方」と定義し、後方と反対方向に向かう方向を「前方」と定義する。注文型のショーケースでは、一般的に、開閉部材は、店員と対面する側に配置される。この場合、開閉部材の配置される側が、本明細書では、「後側」である。セルフサービス型のショーケースでは、一般的に、開閉部材は、客と対面する側に配置される。この場合、開閉部材の配置される側が、本明細書では、「後側」である。また、第１の開閉部材が、店員と対面する側に配置され、かつ、第２の開閉部材が、客と対面する側に配置されることも想定される。この場合、第１の開閉部材の配置される側または第２の開閉部材の配置される側のうちのいずれか一方が「後側」であり、第１の開閉部材の配置される側または第２の開閉部材の配置される側のうちのいずれか他方が「前側」である。
【００１９】
本明細書において、後方から見て右側を「右側」と定義し、後方からみて左側を「左側」と定義する。
【００２０】
（第１の実施形態）
図１乃至図４を参照して、第１の実施形態におけるショーケースの概要について説明する。図１は、第１の実施形態におけるショーケース１を模式的に示す縦断面図である。図２乃至図４は、第１の実施形態におけるショーケース１を模式的に示す概略斜視図であって、ショーケース１を斜め後方から見た時の図である。なお、図２および図３において、側壁を覆うカバー部材９０（図４を参照）の記載は省略されている。
【００２１】
第１の実施形態におけるショーケース１は、ケース本体２と、商品載置ユニット４と、載置ユニット支持部材６（図２を参照）と、開閉部材８とを備える。
【００２２】
ケース本体２は、商品が配置される内部空間ＳＰを規定する部材である。図１に記載の例では、ケース本体２は、少なくとも一部が透明な前方パネル２０と、側壁２１と、頂部２３と、底部２４と、背部２５とを備える。背部２５には、商品載置ユニット４あるいは商品が通過可能な開口ＯＰと、開口ＯＰを覆う開閉部材８とが設けられている。
【００２３】
商品載置ユニット４は、収納状態において、ケース本体２内に配置される。商品載置ユニット４には、揚げ物、加温食品、常温食品等の商品が載置される。商品は、直接、あるいは、トレイ等を介して、商品載置ユニット４上に載置される。
【００２４】
載置ユニット支持部材６（図２を参照）は、商品載置ユニット４をスライド自在に支持する。このため、商品載置ユニット４は、ケース本体２内に収納された第１位置（図４を参照）と、後方に引き出された第２位置（図２を参照）と、更に後方に引き出された第３位置（図３を参照）との間で移動可能である。第２位置および第３位置は、ケース本体２から後方に突出した位置であるということもできる。
【００２５】
図２には、左側の側壁２１Ｌに沿って配置された左側の載置ユニット支持部材６が図示されている。第１の実施形態におけるショーケース１は、左側の載置ユニット支持部材６に加えて、右側の側壁に沿って配置された右側の載置ユニット支持部材６を備えていてもよい。右側の載置ユニット支持部材６は、例えば、左側の載置ユニット支持部材６と対称の形状および構造を備える。
【００２６】
図２に記載の例では、商品載置ユニット４は、商品載置ユニット４が後方に向かって引き出される時、開閉部材８を開放する方向に押圧する押圧部材４２２と、押圧部材４２２を支持する基部４２３とを備える。押圧部材４２２と、基部４２３とは、一体に成型された一つの部材であってもよい。代替的に、押圧部材４２２と、基部４２３とは、別体であり、締結部材等を介して、互いに固着されていてもよい。
【００２７】
第１の実施形態におけるショーケース１では、押圧部材４２２と基部４２３との間に、側方からのアプローチを許容する空間Ｓａ（換言すれば、隙間）が存在する。より具体的には、押圧部材４２２の下面と基部４２３の上面との間に、側方からのアプローチを許容する空間Ｓａが存在している。
【００２８】
このため、図１に示されるように、商品載置ユニット４を後方に向けて少し引き出した状態で、ショーケース１の使用者は、空間Ｓａを介して、商品載置ユニット４上の商品にアプローチすることが可能である。
【００２９】
なお、押圧部材４２２と基部４２３との間の高さ方向の距離Ｌ１（必要であれば、図５を参照）は、トング等が通過可能な距離、例えば、５ｃｍ以上であることが好ましい。この場合、使用者は、トング等の先端を、側方から、商品載置ユニット上の商品に向けて移動させることが可能である。
【００３０】
図１に示された状態から、商品載置ユニット４を後方に向けて更に引き出すことを想定する。図３には、商品載置ユニット４を後方に向けて更に引き出した後の状態が記載されている。図３に示された状態では、商品載置ユニット４の後端部は、開閉部材８よりも後方に位置する。よって、ショーケース１の使用者は、側方からに加えて、上方からも商品載置ユニット４上の商品にアプローチすることが可能となる。
【００３１】
（第１の実施形態によって奏される効果）
第１の実施形態では、商品載置ユニット４を後方に向けて引き出すことにより、押圧部材４２２が開閉部材８と接触し、押圧部材４２２が開閉部材８を押し開く。すなわち、第１の実施形態では、開閉部材８の開放と、商品載置ユニット４の引き出しとを、一つの動作（商品載置ユニット４を引き出す動作）によって実行することが可能である。このため、商品載置ユニット４からの商品の取り出し作業、あるいは、商品載置ユニット４への商品の補充作業を効率的に行うことができる。開閉部材８の開放と、商品載置ユニット４の引き出しとを、それぞれ、別々の動作によって行う場合には、使用者はミスを生じやすい。例えば、開閉部材８の開放が不十分な状態で、商品載置ユニット４の引き出しが行われると、ショーケースが破損するリスクがある。これに対し、第１の実施形態では、単に、商品載置ユニット４を引き出すだけで、開閉部材８が自動的に開けられるため、作業ミスが生じにくい。
【００３２】
また、図１に示されるように、商品載置ユニット４の後方への引き出し量が小さい場合には、開閉部材８が邪魔となって、上方から商品載置ユニット４上の商品にアプローチすることが困難となるおそれがある。この場合、一般的なショーケースでは、ショーケース１の使用者は、後方から商品載置ユニット４上の商品にアプローチするしかない。このため、使用者は、窮屈な動作を強いられることとなる。これに対し、第１の実施形態におけるショーケースでは、押圧部材４２２と基部４２３との間に、側方からのアプローチを許容する空間Ｓａが存在する。このため、ショーケース１の使用者は、より自然な動作で、商品載置ユニット４上の商品にアプローチすることが可能である。すなわち、側方から商品載置ユニット４上の商品にアプローチする動作は、弧を描くように手を伸ばす動作（わかりやすく言えば、ボクシングにおいてフックパンチを出す動きに類似する動作）であり、極めて自然な動作である。
【００３３】
第１の実施形態におけるショーケースでは、商品載置ユニット４の後方への引き出し量が小さい場合でも、使用者は、商品載置ユニット４上の商品に容易にアプローチすることが可能である。第１の実施形態では、押圧部材の形状を工夫することにより、押圧部材の本質的な機能（開閉部材を開閉する機能）とは全く関係のない予想外の効果（側方からのアプローチ特性の向上）が奏される。
【００３４】
（任意付加的な構成例）
図１乃至図７を参照して、第１の実施形態において採用可能な任意付加的な構成例について説明する。
【００３５】
（構成例１）
図２を参照して、構成例１について説明する。構成例１は、押圧部材４２２が開閉部材８に接触する接触位置に関する構成例である。
【００３６】
構成例１では、開閉部材８が開放位置に向けて移動する初期の段階において、押圧部材４２２が、開閉部材８の中央（上下方向の中心）よりも上側の領域に接触するように構成されている。
【００３７】
商品載置ユニット４を後方に向けて引き出す際に、押圧部材４２２は、開閉部材８と接触する。構成例１では、押圧部材４２２が、開閉部材８と接触するに際して、押圧部材４２２が、最初に、開閉部材８の上側部分（上下方向の中心よりも上側の領域）と接触する。換言すれば、押圧部材４２２が、開閉部材８の中央よりも上側の領域を押圧することにより、開閉部材８を押し開く。押圧部材４２２が、開閉部材８の中央よりも上側の領域を押圧する構成を採用することにより、押圧部材４２２の下面と基部４２３の上面との間の距離を十分に確保することが可能となる。このため、ショーケース１の使用者は、押圧部材４２２の下面と基部４２３の上面との間の空間Ｓａを用いて、トング等の器具を、商品載置ユニット４上の商品にアプローチさせることができる。
【００３８】
一般的に、押圧部材の押圧により開閉部材を開放する場合には、開閉部材の上側部分ではなく、開閉部材の下側部分を押圧するのが技術常識である。なぜなら、開閉部材の揺動中心から押圧点までの距離が遠いほど、開閉部材に作用するトルクが大きくなるからである（換言すれば、開閉部材の揺動中心から押圧点までの距離が遠いほど、小さな押圧力で開閉部材を揺動させることが可能となるからである）。構成例１では、押圧部材４２２と基部４２３との間の距離を確保するために、上記技術常識に反して、押圧部材４２２が開閉部材８の上側部分を押圧するように構成している点で意外性がある。
【００３９】
（構成例２）
図５を参照して、構成例２について説明する。図５は、商品載置ユニット４の一例を模式的に示す概略側面図である。
【００４０】
構成例２は、商品載置ユニット４の構造あるいは形状に関する構成例である。構成例２において、商品載置ユニット４は、押圧部材４２２と、押圧部材４２２を支持する基部４２３とを備える。そして、押圧部材４２２（より具体的には、後述の上方延在部４２２ａ）は、基部４２３に接続されている。
【００４１】
押圧部材４２２は、基部４２３から上方に向けて延在する上方延在部４２２ａと、上方延在部４２２ａから後方に向かって突出する突出部４２２ｂとを備える。なお、「上方」は、鉛直上方に限定されず、「上方」には、斜め上方が包含される。
【００４２】
押圧部材４２２が、上方延在部４２２ａと、後方に向かって突出する突出部４２２ｂとを備える場合には、シンプルな構造で、押圧部材４２２と基部４２３との間に、側方からのアプローチを許容する空間Ｓａを設けることが可能となる。図５に記載の例では、押圧部材４２２と基部４２３の一部とによって形成されたＵ字状部分（コ字状部分）が、空間Ｓａを規定している。
【００４３】
図５を参照して、突出部４２２ｂの後端Ｒｅと上方延在部４２２ａとの間の距離Ｌ２は、５ｃｍ以上であることが好ましい。換言すれば、突出部４２２ｂの後端Ｒｅは、上方延在部４２２ａよりも５ｃｍ以上後方に位置することが好ましい。突出部４２２ｂの後端Ｒｅが、上方延在部４２２ａよりも５ｃｍ以上後方に位置することにより、側方からのアプローチを許容する空間Ｓａを十分に確保することが可能となる。
【００４４】
なお、押圧部材４２２は、上方延在部４２２ａから前方に向かって突出する前側突出部４２２ｃを備えていてもよい。
【００４５】
押圧部材４２２の上面４２２０は、商品載置ユニット４が後方に向かって引き出される時に、開閉部材８の下端をスライド自在に支持する面である。商品載置ユニット４の後方への引き出し距離を十分に確保するとの観点から、押圧部材４２２の上面４２２０の長さ（突出部４２２ｂの長手方向に沿う方向の長さ）は、例えば、５ｃｍ以上、より好ましくは、７ｃｍ以上である。図５に記載の例では、前側突出部４２２ｃの前端Ｆｅと突出部４２２ｂの後端Ｒｅとの間の距離が、例えば、５ｃｍ以上、より好ましくは、７ｃｍ以上である。
【００４６】
（構成例３）
図６を参照して、構成例３について説明する。図６は、図２における領域Ａの拡大図である。
【００４７】
構成例３は、開閉部材８の構造あるいは形状に関する構成例である。構成例３では、開閉部材８は、商品載置ユニット４が通過する開口ＯＰを塞ぐ板材８０（例えば、ガラス板またはプラスチック板等の透明な板）を備える。そして、商品載置ユニット４が後方に向かって引き出される時、押圧部材４２２は、板材８０の表面に接触しながら板材８０に対して相対移動する。
【００４８】
構成例３では、押圧部材４２２が直接接触して直接押圧する対象が、開閉部材８の主たる構成である板材８０そのものである。換言すれば、直接的な押圧対象として、突起部材等の特別な形状を有する部材を用意する必要がない。よって、押圧対象としての開閉部材８の形状および構造を、シンプルな形状および構造とすることが可能である。なお、図６に示された状態から、商品載置ユニット４を更に後方に引き出すと、押圧部材４２２は、押圧部材４２２の上面４２２０が板材８０の下端に接触しながら、板材８０に対して相対移動することとなる。
【００４９】
（構成例４）
図１および図２を参照して、構成例４について説明する。構成例４は、商品載置ユニットを傾斜状態でケース本体内に配置することに関する構成例である。
【００５０】
図１に示されるように、構成例４では、商品載置ユニット４が、前下がりに傾斜した状態で、ケース本体内に配置される。より具体的には、商品載置ユニット４は、ユニット前部上面４０ａがユニット後部上面４０ｂよりも下方に位置するように傾斜した状態で、ケース本体２内に配置される。このため、構成例４では、前方から、商品載置ユニット４上の商品を視認するのが容易である。
【００５１】
図２に示されるように、構成例４において、商品載置ユニット４は、後方かつ水平方向に引き出されるように構成されてもよい。換言すれば、商品載置ユニット４は、載置ユニット支持部材６に対して水平方向にスライド自在であってもよい。
【００５２】
構成例４では、商品載置ユニット４が、前下がりに傾斜して配置される。この場合、商品載置ユニット４は、後方かつ斜め上方に向かって引き出されるのが一般的である。しかし、商品載置ユニット４を、斜め上方に向かって引き出す場合には、ショーケースの使用者が商品載置ユニット４から手を離すと、商品載置ユニット４が斜め下方に向けて滑り落ちるリスクがある。これに対し、図２に示されるように、商品載置ユニット４が、後方かつ水平方向に引き出されるように構成した場合には、商品載置ユニット４が斜め下方に向けて滑り落ちるリスクがない。
【００５３】
商品載置ユニット４が、後方かつ水平方向に引き出されるようにするため、載置ユニット支持部材６は、載置ユニット支持部材６の長手方向が水平方向に一致するように、前枠２８、後枠２９、あるいは、側壁２１に取り付けられることが好ましい。
【００５４】
なお、本明細書において「水平方向」には、厳密な水平方向に加えて、概略水平方向が包含される。すなわち、商品載置ユニット４の後方への引き出し方向の水平面に対する角度が、ユニット前部上面４０ａとユニット後部上面４０ｂとを結ぶ直線の水平面に対する角度よりも小さければよい。
【００５５】
（構成例５）
図２を参照して、構成例５について説明する。構成例５は、載置ユニット支持部材６の配置に関する構成例である。
【００５６】
構成例５では、載置ユニット支持部材６は、側壁２１の外側、すなわち、側壁２１の両サイドのうち内部空間ＳＰに面する側とは反対側に配置されている。このため、載置ユニット支持部材６が、ケース本体２の内部空間ＳＰの雰囲気によって汚染されることが効果的に抑制される。例えば、ケース本体２の内部空間に揚げ物が配置される場合を想定する。この場合であっても、載置ユニット支持部材６は、ケース本体２の外側にあるため、揚げ物の油等が付着しにくい。よって、載置ユニット支持部材６と商品載置ユニット４との間のスライド機構を清掃する頻度が少なくて済む。
【００５７】
構成例５では、ケース本体の内部空間ＳＰの雰囲気と、ケース本体の外部の雰囲気との違いを考慮して、汚れの付着するリスクが相対的に低いケース本体の外部にスライド機構を配置している点で画期的である。通常、ケース内に物品を収納する場合には、ケース内の方が、清浄な空間である。これに対し、食品が配置されるショーケースにおいては、ケース内の方が、汚れが付着し易い場合がある。構成例５では、このようなショーケースにおける特有な課題に着目して、ケース本体の外部にスライド機構を配置している点で画期的である。
【００５８】
続いて、図４を参照して、構成例５において採用可能な任意付加的な構成であるカバー部材９０の一例について説明する。
【００５９】
図４に記載の例では、ショーケース１は、載置ユニット支持部材６の少なくとも一部を覆うカバー部材９０を備える。このため、載置ユニット支持部材６の少なくとも一部は、カバー部材９０と側壁２１（例えば、左側の側壁２１Ｌ）との間に配置されることとなる。カバー部材９０によって、載置ユニット支持部材６の少なくとも一部が覆われる場合、載置ユニット支持部材６の露出が減少する。その結果、ショーケース１の意匠性が向上する。また、カバー部材９０によって、載置ユニット支持部材６の少なくとも一部が覆われる場合、使用者または何らかの部材が、意図せずして、載置ユニット支持部材６に接触するリスクが低くなる。このため、載置ユニット支持部材６の損傷のリスクが低減される。なお、カバー部材９０は、載置ユニット支持部材６の一部を覆ってもよいし、載置ユニット支持部材６の全体を覆ってもよい。また、カバー部材９０は、透明な部材であってもよいし、不透明な部材であってもよいし、一部が透明で一部が不透明な部材であってもよい。
【００６０】
カバー部材９０は、ケース本体２に対して着脱自在に取り付けられていることが好ましい。カバー部材９０がケース本体２に対して着脱自在な場合には、カバー部材９０をケース本体２から取り外すことにより、載置ユニット支持部材６等の清掃を容易に行うことができる。
【００６１】
続いて、図６および図７を参照して、構成例５において採用可能な開閉部材８の構成の一例について説明する。図６は、図２における領域Ａの拡大図であり、図７は、開閉部材８の一例を模式的に示す概略３面図である。なお、図７の右上には、概略平面図が示され、図７の右下には、概略背面図（概略後方から概略前方を見た図）が示され、図７の左側には、概略側面図が示されている。
【００６２】
図６および図７に記載の例では、開閉部材８は、開閉部材８が閉鎖位置にある時にケース本体２の後端部２５ａに接触する接触部８１と、接触部８１よりも外側（図６に記載の例では、接触部８１よりも左側）に位置する受け部８２とを備える。この場合、商品載置ユニット４を後方に向けて引き出すと、押圧部材４２２が受け部８２に接触する。
【００６３】
開閉部材８が、接触部８１と、接触部８１よりも外側に位置する受け部８２とを備える場合、押圧部材４２２の汚れが軽減される。すなわち、開閉部材８の接触部８１よりも内側の領域は、ケース本体２の内部空間ＳＰに面する領域である。このため、接触部８１よりも内側の領域は、油汚れ等が付着しやすい。これに対し、開閉部材８の接触部８１よりも外側の領域は、ケース本体２の内部空間ＳＰに面しない領域である。よって、押圧部材４２２と、接触部８１よりも外側に位置する受け部８２とが接触しても、押圧部材４２２が汚れる可能性は低い。よって、押圧部材４２２の清掃の頻度を減らすことが可能となる。なお、受け部８２は、接触部８１よりも外側に突出する突出部であるということもできる。
【００６４】
図７に記載の例では、接触部８１には、パッキン等のシール部材８６が配置される溝８１ａが形成されている。この場合、ケース本体２の後端部２５ａは、開閉部材８に取り付けられたシール部材８６と接触することとなるため、ケース本体２の内部空間ＳＰの気密性が向上する。また、ケース本体２の後端部２５ａが、開閉部材８に取り付けられたシール部材と接触することとなるため、開閉部材８が閉じる時に大きな音が発生しない。なお、パッキン等のシール部材８６は、角が丸められた長方形形状を有することが好ましい。そして、溝８１ａの形状も、角が丸められた長方形形状であることが好ましい。
【００６５】
（構成例６）
図１、図８を参照して、構成例６について説明する。図１は、ショーケース１を模式的に示す縦断面図であり、図８は、商品載置ユニット４の一例を模式的に示す分解斜視図である。
【００６６】
図８に示されるように、構成例６では、商品載置ユニット４は、スライド部材４２と、商品載置部材４６とを備える。
【００６７】
スライド部材４２は、側壁２１に沿って配置された載置ユニット支持部材６とスライド自在に係合する部材である。図８に記載の例では、右側の側枠４２ａが、右側の側壁２１Ｒに沿って配置された載置ユニット支持部材とスライド自在に係合し、左側の側枠４２ａが、左側の側壁２１Ｌに沿って配置された載置ユニット支持部材とスライド自在に係合する。なお、スライド部材４２は、最も後方に移動された状態においても載置ユニット支持部材６から脱落しないように構成されていることが好ましい。
【００６８】
商品載置部材４６は、商品を支持する部材である。商品は、直接的に、または、トレイ等を介して間接的に、商品載置部材４６上に載置される。
【００６９】
構成例６において、商品載置部材４６の後端部４６０は、スライド部材４２（例えば、スライド部材４２の後端部４２０）によって揺動自在に支持される。図８に記載の例では、商品載置部材４６の後端部４６０は、上方からスライド部材４２に係合可能なフック部である。この場合、後端部４６０のスライド部材４２に対する着脱が容易である。
【００７０】
スライド部材４２と商品載置部材４６とが別体である場合、スライド部材４２と商品載置部材４６のうち汚れた部材のみを清掃すればよい。あるいは、スライド部材４２と商品載置部材４６のうち破損した部材のみを交換すればよい。代替的に、スライド部材４２と商品載置部材４６とは、一体的に結合されていてもよい。この場合、スライド部材４２と商品載置部材４６とは、ヒンジ機構を介して、互いに結合されていてもよい。
【００７１】
なお、構成例４（商品載置ユニット４が、前下がりに傾斜した状態で、ケース本体２内に配置される構成）と構成例６とが組み合わせられて採用されてもよい。構成例６において、商品載置部材４６の後端部４６０が、スライド部材４２によって揺動自在に支持されている場合、商品載置部材４６は自重によって自動的に、前下がりに傾斜する。
【００７２】
この場合、商品載置部材４６の前端部４６２は、ケース本体２に固定された支持部材９１（図１を参照）等によって支持されてもよい。支持部材９１は、例えば、板状部材、あるいは、複数の細長部材等によって構成される。なお、図１に記載の例では、支持部材９１は、支持部材の前部上面が支持部材の後部上面よりも低くなるように、換言すれば、前下がりに傾斜するようにケース本体２に取り付けられている。
【００７３】
商品載置部材４６の前端部４６２が、ケース本体内に配置された支持部材によって支持され、商品載置部材４６の後端部がスライド部材４２によって支持される場合、商品載置ユニット４の全体に作用する荷重（重力等）が、ケース本体内に配置された支持部材とケース本体内あるいはケース本体外に配置された載置ユニット支持部材６とによって分散的に支持されることとなる。よって、載置ユニット支持部材６、および、スライド機構に集中的に荷重が作用することが回避され、載置ユニット支持部材６、および、スライド機構が故障する可能性が減る。
【００７４】
図１に記載の例では、商品載置ユニット４を後方に向かって引き出すと、商品載置部材４６の前端部４６２が支持部材９１上を滑るように移動しつつ、商品載置部材４６が後端部４６０を揺動中心として、スライド部材４２に対して揺動する。このため、商品載置ユニット４を後方に向かって引き出すにつれて、商品載置部材４６の水平面に対する傾斜角度が小さくなる。よって、商品載置ユニット４を後方に引き出した後、商品を商品載置ユニット４から取り出す作業、あるいは、商品を商品載置ユニット４に補充する作業が容易となる。他方、商品載置ユニット４を前方に戻すと、商品載置部材４６の水平面に対する傾斜角度が大きくなる。このため、客は、商品載置部材４６上の商品を容易に視認することができる。
【００７５】
（構成例７）
図１を参照して、構成例７について説明する。構成例７は、開閉部材８の配置に関する構成例である。
【００７６】
構成例７では、開閉部材８がケース本体２の開口ＯＰを閉鎖する時に、開閉部材８は、傾斜状態で配置される。
【００７７】
第１の実施形態では、押圧部材４２２は、開閉部材８の揺動中心から比較的近い位置において、開閉部材８を押圧する。このため、押圧部材４２２が開閉部材８の下端を押圧する場合と比較して、開閉部材８を開放位置に移動させるために要する力が大きくなる。そこで、構成例７では、開閉部材８を傾斜配置することにより、開閉部材８を開放位置に移動させるために要する力の軽減を図っている。
【００７８】
また、開閉部材８を傾斜配置する場合には、開閉部材８を鉛直面に沿って配置する場合と比較して、開閉部材８の揺動中心をより前方側に位置させることが可能である。このため、開閉部材８が開放位置にある状態において、開閉部材８が、上方から商品載置ユニット４上の商品にアプローチする際の邪魔になりにくい。
【００７９】
また、開閉部材８を傾斜配置する場合には、開閉部材８に作用する重力によって、傾斜配置された開閉部材８がケース本体２を押圧することとなる。すなわち、開閉部材８が、ケース本体２の開口ＯＰを閉鎖する位置にあるとき、開閉部材８がケース本体２に密着する方向に重力（開閉部材８の主面に垂直な方向の重力成分）が作用する。このため、ケース本体２内の内部空間ＳＰの気密性が向上する。これに対し、開閉部材８を鉛直面に沿って配置する場合には、開閉部材８が、重力によって、ケース本体２を押圧することはない。このため、ケース本体２内の内部空間ＳＰの気密性が損なわれるおそれがある。
【００８０】
第１の実施形態において、上述の構成例１乃至７のうちのいずれか１個の構成例が採用されてもよい。代替的に、第１の実施形態において、上述の構成例１乃至構成例７が、組み合わせられて採用されてもよい。例えば、第１の実施形態において、（１）構成例１、２、（２）構成例１、３、（３）構成例１、４、（４）構成例１、５、（５）構成例２、３、（６）構成例２、４、（７）構成例２、５、（８）構成例３、４、（９）構成例３、５、（１０）構成例４、５、（１１）構成例１、２、３、（１２）構成例１、２、４、（１３）構成例１、２、５、（１４）構成例１、３、４、（１５）構成例１、３、５、（１６）構成例１、４、５、（１７）構成例２、３、４、（１８）構成例２、３、５、（１９）構成例２、４、５、（２０）構成例３、４、５、（２１）構成例１、２、３、４、（２２）構成例１、２、３、５、（２３）構成例１、２、４、５、（２４）構成例１、３、４、５、（２５）構成例２乃至５、または、（２６）構成例１乃至５が採用されてもよい。あるいは、上述の（１）乃至（２６）のうちのいずれかと、構成例６とが組み合わせられて採用されてもよいし、上述の（１）乃至（２６）のうちのいずれかと、構成例７とが組み合わせられて採用されてもよいし、上述の（１）乃至（２６）のうちのいずれかと、構成例６および７とが組み合わせられて採用されてもよい。
【００８１】
続いて、第１の実施形態におけるショーケース１の各構成についてより詳細に説明する。
【００８２】
（ショーケースの全体構成）
図９および図１０を参照してショーケース１の全体的な構成について説明する。図９は、第１の実施形態におけるショーケース１を模式的に示す縦断面図である。また、図１０は、第１の実施形態におけるショーケース１を模式的に示す概略正面図である。なお、図１０において、ケース本体内の部材の記載は、図面の複雑化を避ける目的で、記載が省略されている。
【００８３】
ケース本体２は、前方パネル２０と、２つの側壁２１と、頂部２３と底部２４と、背部２５とを備える。そして、ケース本体２の内部空間ＳＰは、前方パネル２０と、２つの側壁２１と、頂部２３と底部２４と、背部２５とによって囲まれている。
【００８４】
前方パネル２０の少なくとも一部は、透明である。この場合、客は、前方パネル２０を介して、内部空間ＳＰ内に配置された商品を視認することができる。側壁２１の少なくとも一部は、透明であることが好ましい。この場合、客は、側壁２１を介して、内部空間ＳＰ内に配置された商品を視認することができる。頂部２３、底部２４等には、ヒーターＨを制御する回路基板、および／または、ヒーターＨあるいは内部空間ＳＰを照らす照明装置の電源スイッチが配置されていてもよい。
【００８５】
図９に記載の例では、内部空間ＳＰは、複数のサブ空間（ＳＰ１〜ＳＰ４）に分割されている。図９に記載の例では、サブ空間の数は４個であるが、サブ空間の数は、２個、３個、あるいは、５個以上であってもよい。換言すれば、ケース本体２内には、上下方向に沿って、複数の棚板が配置されている。図９に記載の例では、各商品載置ユニット（４−１乃至４−４）が、棚板として機能する。図９に記載の例では、上下方向に沿って、４つの商品載置ユニット４が配置されているが、商品載置ユニット４の数は、２個、３個、あるいは、５個以上であってもよい。
【００８６】
第１の実施形態において、少なくとも１つのサブ空間の上方または下方には、当該サブ空間内に配置される商品を加温するヒーターＨが配置されてもよい。ヒーターＨは、例えば、ケース本体２に固定された支持部材９１に設置される。
【００８７】
図９には、サブ空間ＳＰ２の上方に配置された第１ヒーターＨ１と、サブ空間ＳＰ２の下方に配置された第２ヒーターＨ２が図示されている。代替的に、あるいは、付加的に、他のサブ空間（ＳＰ１、ＳＰ３、ＳＰ４）に対応して、ヒーターが配置されてもよい。
【００８８】
図９に記載の例では、商品載置ユニット（４−１乃至４−４）の各々が、上述のスライド部材４２および商品載置部材４６を備えた引き出し可能な商品載置ユニットである。このため、図１０に示されるように、ケース本体２には、第１商品載置ユニット４−１をスライド自在に支持する右側の載置ユニット支持部材６Ｒ−１および左側の載置ユニット支持部材６Ｌ−１が設けられている。また、第１商品載置ユニット４−１には、第１商品載置ユニット４−１が引き出されるときに開閉部材８−１を押圧する、右側の押圧部材４２２Ｒ−１および左側の押圧部材４２２Ｌ−１が設けられている。
【００８９】
同様に、Ｎを２以上４以下の自然数とするとき、ケース本体２の外側には、第Ｎ商品載置ユニット４−Ｎをスライド自在に支持する右側の載置ユニット支持部材６Ｒ−Ｎおよび左側の載置ユニット支持部材６Ｌ−Ｎが設けられている。また、第Ｎ商品載置ユニット４−Ｎには、第Ｎ商品載置ユニット４−Ｎが引き出されるときに開閉部材８−Ｎを押圧する、右側の押圧部材４２２Ｒ−Ｎおよび左側の押圧部材４２２Ｌ−Ｎが設けられている。
【００９０】
図９および図１０に記載の例では、全ての商品載置ユニット（４−１乃至４−４）が、引き出し可能な商品載置ユニットである。代替的に、商品載置ユニット（４−１乃至４−４）のうちの少なくとも１つが、引き出し不能な商品載置ユニットであってもよい。
【００９１】
（商品載置ユニットのスライド部材４２）
図１１および図１２を参照して、スライド部材４２の一例について説明する。図１１は、商品載置ユニット４に含まれるスライド部材４２の一例を模式的に示す概略３面図である。図１２は、載置ユニット支持部材６とスライド部材４２との間のスライド自在な係合の一例を示す概略断面図である。なお、図１１の右上には、概略平面図が示され、図１１の右下には、概略背面図（概略後方から概略前方を見た図）が示され、図１１の左側には、概略側面図が示されている。
【００９２】
スライド部材４２は、ケース本体の側壁２１に沿うように配置される側部（側枠４２ａ）と、後部（後枠４２ｂ）とを備える。図１１に記載の例では、スライド部材４２は、２つの側枠４２ａと１つの後枠４２ｂとを有し、平面視でＵ字形状（コ字形状）を有する。
【００９３】
図１１に記載の例において、スライド部材４２の側部は、開閉部材８を押圧可能な押圧部材４２２を有する。また、図１１に記載の例において、スライド部材４２の側部（側枠４２ａ）は、載置ユニット支持部材６とスライド自在に係合するスライド係合部４２１を有する。載置ユニット支持部材６とスライド係合部４２１との間の係合は、図１２に例示されるように、スライド自在な嵌合であってもよい。この場合、載置ユニット支持部材６は、レール部材として機能する。また、スライド係合部４２１は、レール部材に対してスライド自在なスライダーとして機能する。
【００９４】
代替的に、載置ユニット支持部材６とスライド係合部４２１との間の係合は、一方の部材に設けられた長孔と、他方の部材に設けられたピンとの間の係合であってもよい。
【００９５】
図１１に記載の例において、スライド部材４２の後部は、把手部４２４を有する。把手部４２４は、例えば、後枠４２ｂの長手方向中央部に取り付けられる。図１１に記載の例では、後枠４２ｂと把手部４２４とは別体であり、両者は互いに固着されている。代替的に、後枠４２ｂと把手部４２４とは一体成型されてもよい。
【００９６】
また、図１１に記載の例において、スライド部材４２の後部（後枠４２ｂ）は、商品載置部材４６の後端部４６０と係合可能な係合部（例えば、後端部４２０）を備える。当該係合部は、例えば、上方に向かって突出する板材を折り曲げることによって形成される。
【００９７】
（商品載置ユニットの商品載置部材４６）
図１３を参照して、商品載置部材４６の一例について説明する。図１３は、商品載置ユニット４に含まれる商品載置部材４６の一例を模式的に示す概略３面図である。なお、図１３の右上には、概略平面図が示され、図１３の右下には、概略背面図（概略後方から概略前方を見た図）が示され、図１３の左側には、概略側面図が示されている。
【００９８】
商品載置部材４６は、概略板状の部材である。図１３に記載の例では、商品載置部材４６は、平面視で、長方形形状の部材である。
【００９９】
商品載置部材４６は、底板４６３と、底板４６３を囲むように配置された周壁４６４とを備える。
【０１００】
図１３に記載の例では、商品載置部材４６の後端部４６０は、上方からスライド部材４２に係合可能なフック部である。当該フック部は、例えば、周壁４６４から上方に向かって突出する板材を折り曲げることによって形成される。
【０１０１】
図１１および図１３に記載の例では、商品載置部材４６とスライド部材４２とは、別体として構成されている。そして、商品載置部材４６とスライド部材４２とは、器具を用いることなく互いに着脱自在である。
【０１０２】
（載置ユニット支持部材６）
次に、図２を参照して、載置ユニット支持部材６について説明する。載置ユニット支持部材６は、商品載置ユニット４をスライド自在に支持する部材である。図２に記載の例では、載置ユニット支持部材６は、側壁２１の外側に配置されている。代替的に、載置ユニット支持部材６は、側壁２１の内側に配置されてもよい。
【０１０３】
図２に記載の例では、側壁２１の前方に側壁２１の前側部分を支持する前枠２８が配置され、側壁２１の後方に側壁２１の後側部分を支持する後枠２９が配置されている。そして、載置ユニット支持部材６は、前枠２８および後枠２９に取り付けられている。代替的に、あるいは、付加的に、載置ユニット支持部材６は、側壁２１に直接取り付けられてもよい。
【０１０４】
（開閉部材８）
次に、図２を参照して、開閉部材８について説明する。開閉部材８は、商品載置ユニット４あるいは商品が通過可能な開口ＯＰを覆う部材である。図２に記載の例では、開閉部材８の上端部が、ケース本体２に揺動自在に結合されている。開閉部材８とケース本体２との間の結合は、例えば、ヒンジ結合である。
【０１０５】
図２に記載の例では、後枠２９に、開閉部材８を支持する支持部２９０が設けられている。当該支持部２９０は、例えば、開閉部材８に設けられたピン部材８４を受け入れ可能な穴部である。
【０１０６】
（第２の実施形態）
図１４を参照して、第２の実施形態におけるショーケース１について説明する。図１４は、第２の実施形態におけるショーケースを模式的に示す概略斜視図である。なお、図１４において、側壁を覆うカバー部材９０の記載は省略されている。
【０１０７】
第２の実施形態におけるショーケース１は、後方に引き出し可能な商品載置ユニット４が左右方向に複数配置されている点において、第１の実施形態におけるショーケースとは異なる。その他の点では、第２の実施形態におけるショーケース１は、第１の実施形態におけるショーケースと同様である。このため、第２の実施形態では、商品載置ユニット４の配置および構造を中心に説明し、その他の構成についての繰り返しとなる説明は省略する。
【０１０８】
図１４に記載の例では、ショーケース１は、左側商品載置ユニット４Ｌ、および、右側商品載置ユニット４Ｒを有する。なお、図１４に記載の例では、左側商品載置ユニット４Ｌと、右側商品載置ユニット４Ｒとは、互いに同一高さに配置されている。
【０１０９】
左側商品載置ユニット４Ｌの左側部分は、左側の側壁２１Ｌに沿って配置された左側載置ユニット支持部材６Ｌによって、スライド自在に支持される。
【０１１０】
左側商品載置ユニット４Ｌは、上述のスライド部材４２と、商品載置部材４６（図１４に記載の例では、商品載置部材４６上にトレイＴが載置されている）とを備えていてもよい。この場合、左側商品載置ユニット４Ｌのスライド部材４２の形状は、図８に示されたスライド部材４２の形状とは異なる。左側商品載置ユニット４Ｌのスライド部材４２において、図８に図示された右側の押圧部材４２２Ｒは不要である。また、左側商品載置ユニット４Ｌのスライド部材４２において、後枠４２ｂの幅（左右方向の長さ）は、ケース本体２の幅の約半分でよい。同様に、左側の商品載置部材４６の幅（左右方向の長さ）は、ケース本体２の幅の約半分でよい。なお、左側の開閉部材８Ｌの幅（左右方向の長さ）も、ケース本体２の幅の約半分でよい。
【０１１１】
右側商品載置ユニット４Ｒの右側部分は、右側の側壁２１Ｒに沿って配置された右側載置ユニット支持部材によって、スライド自在に支持される。
【０１１２】
右側商品載置ユニット４Ｒは、上述のスライド部材４２と、商品載置部材４６とを備えていてもよい。この場合、右側商品載置ユニット４Ｒのスライド部材４２の形状は、図８に示されたスライド部材４２の形状とは異なる。右側商品載置ユニット４Ｒのスライド部材４２において、図８に図示された左側の押圧部材４２２Ｌは不要である。また、右側商品載置ユニット４Ｒのスライド部材４２において、後枠４２ｂの幅（左右方向の長さ）は、ケース本体２の幅の約半分でよい。同様に、右側の商品載置部材４６の幅（左右方向の長さ）は、ケース本体２の幅の約半分でよい。なお、右側の開閉部材８Ｒの幅（左右方向の長さ）も、ケース本体２の幅の約半分でよい。
【０１１３】
第２の実施形態におけるショーケースは、第１の実施形態におけるショーケースと同様の効果を奏する。加えて、第２の実施形態では、各商品載置ユニットのサイズおよび各開閉部材のサイズを小さくすることが可能である。このため、商品載置ユニットを引き出す際に要する力が小さくて済む。
【０１１４】
本発明は上記各実施形態に限定されず、本発明の技術思想の範囲内において、各実施形態は適宜変形又は変更され得ることは明らかである。また、各実施形態又は構成例で用いられる種々の技術は、技術的矛盾が生じない限り、他の実施形態又は構成例にも適用可能である。さらに、各実施形態又は構成例における任意付加的な構成は、適宜省略可能である。
【０１１５】
例えば、第１の実施形態および第２の実施形態では、店員が商品を取り出すように構成された注文型のショーケースについて説明された。代替的に、実施形態におけるショーケースは、客が自ら商品を取り出すように構成されたセルフサービス型のショーケースであってもよい。
【０１１６】
また、第１の実施形態および第２の実施形態では、ヒーターを備えた加温型のショーケースについて説明された。代替的に、実施形態におけるショーケースは、常温型のショーケース、冷温型のショーケース、あるいは、加温と常温または冷温とを併用可能なハイブリッド型のショーケースであってもよい。
【０１１７】
また、第１の実施形態および第２の実施形態では、載置ユニット支持部材６が、側壁２１の外側に配置される例について説明された。代替的に、載置ユニット支持部材６は、側壁２１の内側に配置されてもよい。載置ユニット支持部材６が、側壁２１の内側に配置される場合には、載置ユニット支持部材６によって支持される商品載置ユニット４の全体を、側壁２１の内側に配置することが可能となる。この場合、商品載置ユニット４の構造および形状がシンプルになる。
【０１１８】
また、押圧部材４２２を備えた商品載置ユニット４の形状は、図５に例示された形状に限定されない。商品載置ユニット４の形状は、例えば、図１５または図１６に示された形状であってもよい。図１５に記載の例では、押圧部材４２２（突出部４２２ｂ）の後端部４２２１が、基部４２３に接近する方向に湾曲している。このため、図１５に記載の例では、図５に記載の例と比較して、開閉部材８を開けるのに要する力が小さくて済む。代替的に、図１６に記載の例では、押圧部材４２２（突出部４２２ｂ）の後端部４２２１が、基部４２３から離間する方向に湾曲している。このため、図１６に記載の例では、図５に記載の例と比較して、空間Ｓａを通過するように、トング等の器具を操作するのが、より容易となる。
【符号の説明】
【０１１９】
１            ：ショーケース
２            ：ケース本体
４            ：商品載置ユニット
４−Ｎ        ：第Ｎ商品載置ユニット
４Ｌ          ：左側商品載置ユニット
４Ｒ          ：右側商品載置ユニット
６            ：載置ユニット支持部材
６Ｌ−Ｎ      ：載置ユニット支持部材
６Ｒ−Ｎ      ：載置ユニット支持部材
８            ：開閉部材
８−１        ：開閉部材
８−Ｎ        ：開閉部材
８Ｌ          ：開閉部材
８Ｒ          ：開閉部材
２０          ：前方パネル
２１、２１Ｌ、２１Ｒ：側壁
２３          ：頂部
２４          ：底部
２５          ：背部
２５ａ        ：後端部
２８          ：前枠
２９          ：後枠
４０ａ        ：ユニット前部上面
４０ｂ        ：ユニット後部上面
４２          ：スライド部材
４２ａ        ：側枠
４２ｂ        ：後枠
４６          ：商品載置部材
８０          ：板材
８１          ：接触部
８１ａ        ：溝
８２          ：受け部
８４          ：ピン部材
８６          ：シール部材
９０          ：カバー部材
９１          ：支持部材
２９０        ：支持部
４２０        ：後端部
４２１        ：スライド係合部
４２２        ：押圧部材
４２２Ｌ−Ｎ  ：押圧部材
４２２Ｒ−Ｎ  ：押圧部材
４２２ａ      ：上方延在部
４２２ｂ      ：突出部
４２２ｃ      ：前側突出部
４２３        ：基部
４２４        ：把手部
４６０        ：後端部
４６２        ：前端部
４６３        ：底板
４６４        ：周壁
４２２０      ：上面
４２２１      ：後端部
Ｈ、Ｈ１、Ｈ２：ヒーター
ＯＰ          ：開口
ＳＰ          ：内部空間
ＳＰ１〜ＳＰ４：サブ空間
Ｓａ          ：空間
【図１】
2018130368.tif 000003
【図２】
2018130368.tif 000004
【図３】
2018130368.tif 000005
【図４】
2018130368.tif 000006
【図５】
2018130368.tif 000007
【図６】
2018130368.tif 000008
【図７】
2018130368.tif 000009
【図８】
2018130368.tif 000010
【図９】
2018130368.tif 000011
【図１０】
2018130368.tif 000012
【図１１】
2018130368.tif 000013
【図１２】
2018130368.tif 000014
【図１３】
2018130368.tif 000015
【図１４】
2018130368.tif 000016
【図１５】
2018130368.tif 000017
【図１６】
2018130368.tif 000018